(57)【要約】      （修正有）【課題】対象物の脂肪に関する数値を精度よく計測することが可能な脂肪計測装置を提供する。【解決手段】脂肪計測装置１は、９２０ｎｍ以上９４０ｎｍ以下の範囲に発光スペクトルの中心波長を有する第１発光ダイオード部９ａと、第１発光ダイオード部よりも短い発光スペクトルの中心波長を有する第２発光ダイオード部１１ａとを含み、第１発光ダイオード部から生じた光と第２発光ダイオード部から生じた光とを合成して照射光として対象物Ｓに照射するヘッド部３と、対象物において生じた計測光を分光する分光器５ａと、分光器によって分光された計測光を検出し、計測光に関するスペクトルデータを出力する光検出器５ｂと、スペクトルデータに基づいて、数値に関する情報を算出する制御装置５ｃと、を備え、第２発光ダイオード部が生成する光の強度は、第１発光ダイオード部が生成する光の強度よりも小さくなるように構成されている。【選択図】図１
2019070550.tif 000002
【特許請求の範囲】
【請求項１】
対象物の脂肪に関する数値を計測する脂肪計測装置であって、
９２０ｎｍ以上９４０ｎｍ以下の範囲に発光スペクトルの中心波長を有する第１の発光ダイオード部と、前記第１の発光ダイオード部の発光スペクトルの中心波長よりも短い発光スペクトルの中心波長を有する第２の発光ダイオード部とを含み、前記第１の発光ダイオード部から生じた光と前記第２の発光ダイオード部から生じた光とを合成して照射光として前記対象物に照射する光照射部と、
前記対象物において前記照射光の照射に応じて生じた計測光を分光する分光器と、
前記分光器によって分光された前記計測光を検出し、前記計測光に関するスペクトルデータを出力する光検出器と、
前記スペクトルデータに基づいて、前記数値に関する情報を算出する演算部と、を備え、
前記第２の発光ダイオード部が生成する光の強度は、前記第１の発光ダイオード部が生成する光の強度よりも小さくなるように構成されている、
脂肪計測装置。
【請求項２】
前記演算部は、前記スペクトルデータを一次微分して一次微分データを算出し、前記一次微分データを基に前記数値に関する情報を算出する、
請求項１に記載の脂肪計測装置。
【請求項３】
前記演算部は、前記スペクトルデータを二次微分して二次微分データを算出し、前記二次微分データを基に前記数値に関する情報を算出する、
請求項１に記載の脂肪計測装置。
【請求項４】
前記光照射部による前記照射光の照射を制御する制御部をさらに備え、
前記制御部は、前記第２の発光ダイオード部が生成する光の強度が前記第１の発光ダイオード部が生成する光の強度よりも小さくなるように、前記第１の発光ダイオード部及び前記第２の発光ダイオード部の少なくともいずれか一方を制御する、
請求項１〜３のいずれか１項に記載の脂肪計測装置。
【請求項５】
前記第１の発光ダイオード部は、ｎ個（ｎは１以上の整数）の発光ダイオード素子を有し、
前記第２の発光ダイオード部は、ｍ個（ｍは１以上の整数）の発光ダイオード素子を有し、
ｎ＞ｍである、
請求項１〜３のいずれか１項に記載の脂肪計測装置。
【請求項６】
前記第２の発光ダイオード部は、前記第２の発光ダイオード部から生じた光を減光する減光フィルタを有し、
前記減光フィルタは、前記第２の発光ダイオード部が生成する光の強度が前記第１の発光ダイオード部が生成する光の強度よりも小さくなるように、前記第２の発光ダイオード部から生じた光を減光する、
請求項１〜３のいずれか１項に記載の脂肪計測装置。
【請求項７】
前記数値に関する情報は、脂肪量及び脂肪率の少なくとも一方である、
請求項１〜６のいずれか１項に記載の脂肪計測装置。
【発明の詳細な説明】
【技術分野】
【０００１】
本発明は、対象物の脂肪に関する数値を計測する脂肪計測装置に関する。
【背景技術】
【０００２】
従来から、脂肪による光の吸収を利用して対象物の脂肪の関する数値を測定する装置が知られている。例えば、下記特許文献１には、ハロゲンランプを用いてまぐろに光を照射して、それに応じてまぐろ内部から生じた拡散反射光を受光し、受光した拡散反射光を分光分析することにより推定脂肪量を算出する装置が記載されている。
【先行技術文献】
【特許文献】
【０００３】
【特許文献１】特開２００３−２７０１３９号公報
【発明の概要】
【発明が解決しようとする課題】
【０００４】
脂肪による光の吸収は、一般に、９２７ｎｍ付近を中心とする９２０〜９４０ｎｍの波長帯域で生じることが知られている。その一方で、その波長領域に近い９５６ｎｍ付近の波長においては、水による光の吸収の影響が顕著に現れる。その結果、上記非特許文献１に記載の装置においては、ハロゲンランプを用いているため、分光分析結果において水による光の吸収の影響を受けやすい。そのため、脂肪に関する数値を精度よく計測することが難しい傾向にあった。
【０００５】
そこで、本発明は、かかる課題に鑑みてなされたものであり、対象物の脂肪に関する数値を精度よく計測することが可能な脂肪計測装置を提供することを課題とする。
【課題を解決するための手段】
【０００６】
上記課題を解決するため、本発明者等は、鋭意研究した結果、以下の事実を新たに見出した。
【０００７】
対象物に対して照射する照射光の発光スペクトルの波形パターンを様々変えて、それに応じて対象物において拡散及び反射される計測光のスペクトルを観測したところ、発光スペクトルの波形パターンによって脂肪に関する数値の反映の度合いが大きく変化することが分かった。このとき、脂肪に関する数値の反映の度合いが比較的大きいのは、脂肪による光の吸収が生じる波長帯域にピーク波長を有し、そのピーク波長よりも長波長の領域において、ピーク波長よりも短波長の領域よりも急峻に変化する発光スペクトルを有する照射光を用いた場合であることを新たに見出した。かかる事実を踏まえ、本発明者らは、下記側面の構成を想到するに至った。
【０００８】
本発明の一側面は、対象物の脂肪に関する数値を計測する脂肪計測装置であって、９２０ｎｍ以上９４０ｎｍ以下の範囲に発光スペクトルの中心波長を有する第１の発光ダイオード部と、第１の発光ダイオード部の発光スペクトルの中心波長よりも短い発光スペクトルの中心波長を有する第２の発光ダイオード部とを含み、第１の発光ダイオード部から生じた光と第２の発光ダイオード部から生じた光とを合成して照射光として対象物に照射する光照射部と、対象物において照射光の照射に応じて生じた計測光を分光する分光器と、分光器によって分光された計測光を検出し、計測光に関するスペクトルデータを出力する光検出器と、スペクトルデータに基づいて、数値に関する情報を算出する演算部と、を備え、第２の発光ダイオード部が生成する光の強度は、第１の発光ダイオード部が生成する光の強度よりも小さくなるように構成されている。
【０００９】
上記一側面に係る脂肪計測装置においては、光照射部によって、脂肪による光の吸収が生じる波長帯域にピーク波長を有し、そのピーク波長よりも長波長の領域において、ピーク波長よりも短波長の領域よりも急峻に変化する発光スペクトルを有する照射光が、対象物に向けて照射される。そして、分光器によって、照射光の照射に応じて対象物において生じた計測光が分光され、光検出器によって、分光された計測光が検出されて計測光に関するスペクトルデータが出力され、演算部によって、そのスペクトルデータを基に脂肪の数値に関する情報が算出される。これにより、脂肪に関する数値変化が大きく反映され、かつ、水による光の吸収の影響の少ないスペクトルデータを用いて、脂肪の数値に関する情報が算出される。その結果、対象物の脂肪の数値に関する情報を精度よく安定して得ることができる。
【００１０】
上記一側面においては、演算部は、スペクトルデータを一次微分して一次微分データを算出し、一次微分データを基に数値に関する情報を算出する、ことが好適である。この場合、スペクトルデータの一次微分データを用いることで計測する脂肪の数値に関する予測精度を高めることができ、加えて、水による光の吸収の影響による誤差も低減することができる。
【００１１】
また、演算部は、スペクトルデータを二次微分して二次微分データを算出し、二次微分データを基に数値に関する情報を算出する、ことも好適である。この場合、スペクトルデータの二次微分データを用いることで計測する脂肪の数値に関する予測精度を高めることができ、加えて、水による光の吸収の影響による誤差も低減することができる。
【００１２】
さらに、光照射部による照射光の照射を制御する制御部をさらに備え、制御部は、第２の発光ダイオード部が生成する光の強度が第１の発光ダイオード部が生成する光の強度よりも小さくなるように、第１の発光ダイオード部及び第２の発光ダイオード部の少なくともいずれか一方を制御する、ことも好適である。このような構成により、脂肪による光の吸収が生じる波長帯域にピーク波長を有し、そのピーク波長よりも長波長の領域において、ピーク波長よりも短波長の領域よりも急峻に変化する発光スペクトルを有する照射光を照射することができる。その結果、脂肪に関する数値が大きく反映され、かつ、水による光の吸収の影響の少ないスペクトルデータを得ることができる。
【００１３】
またさらに、第１の発光ダイオード部は、ｎ個（ｎは１以上の整数）の発光ダイオード素子を有し、第２の発光ダイオード部は、ｍ個（ｍは１以上の整数）の発光ダイオード素子を有し、ｎ＞ｍである、ことも好適である。かかる構成によっても、脂肪に関する数値が大きく反映され、かつ、水による光の吸収の影響の少ないスペクトルデータを得ることができる。
【００１４】
さらにまた、第２の発光ダイオード部は、第２の発光ダイオード部から生じた光を減光する減光フィルタを有し、減光フィルタは、第２の発光ダイオード部が生成する光の強度が第１の発光ダイオード部が生成する光の強度よりも小さくなるように、第２の発光ダイオード部から生じた光を減光する、ことも好適である。かかる構成によっても、脂肪に関する数値が大きく反映され、かつ、水による光の吸収の影響の少ないスペクトルデータを得ることができる。
【００１５】
また、数値に関する情報は、脂肪量及び脂肪率の少なくとも一方であってよい。
【発明の効果】
【００１６】
本発明の一側面によれば、対象物の脂肪に関する数値を精度よく計測することができる。
【図面の簡単な説明】
【００１７】
【図１】実施形態に係る脂肪計測装置の概略構成図である。
【図２】図１のヘッド部３を対象物Ｓに密着させる面３ａ側から見た平面図である。
【図３】図１のヘッド部３から照射される照明光の発光スペクトルを示すグラフである。
【図４】図１の演算部５ｅによって算出された二次微分値の波長分布の一例を示すグラフである。
【図５】実施形態及び比較例における照射光の発光スペクトルを示すグラフである。
【図６】実施形態及び比較例において複数の計測によって算出された脂肪量換算値を示すグラフである。
【図７】実施形態及び比較例において５回の計測によって算出された脂肪量換算値の標準偏差を示すグラフである。
【図８】変形例にかかるヘッド部３Ａを対象物Ｓに密着させる面３ａ側から見た平面図である。
【図９】変形例にかかる一体型の光源装置の構成を示す斜視図である。
【発明を実施するための形態】
【００１８】
以下、添付図面を参照して、本発明の実施形態について詳細に説明する。なお、説明において、同一要素又は同一機能を有する要素には、同一符号を用いることとし、重複する説明は省略する。
【００１９】
図１は、好適な一実施形態に係る脂肪計測装置の概略構成図である。図１に示す脂肪計測装置１は、人体等の対象物Ｓの脂肪に関する数値としての脂肪量、脂肪率等を計測する装置であり、ヘッド部３、本体装置５、及びヘッド部（光照射部）３と本体装置５とを繋ぐケーブル７とによって構成されている。ヘッド部３は、対象物Ｓに密着されることにより、対象物Ｓに照明光を照射するとともに、それに応じて対象物Ｓにおいて生じた反射光及び散乱光を含む計測光を受け、計測光をケーブル７を経由して本体装置５の内部に導光する。すなわち、ヘッド部３の対象物Ｓ側の面と本体装置５の内部との間には、ケーブル７の内部に挿入された光ケーブル７ａが設けられており、この光ケーブル７ａによって対象物Ｓからの計測光が本体装置５の内部に導光される。また、ケーブル７には、ヘッド部３と本体装置５とを電気的に接続する図示しないケーブルも挿入して設けられている。なお、脂肪計測装置１の計測対象である対象物Ｓとしては、人体の他、様々な種類の動物及び植物、又はそれらの組織の一部分であってもよい。
【００２０】
図２は、ヘッド部３を対象物Ｓに密着させる面３ａ側から見た平面図である。ヘッド部３は略円柱状をなしており、４個の第１発光ダイオード素子９ａと２個の第２発光ダイオード素子１１ａとを、面３ａから外部に向けて光を照射可能な状態で内蔵している。さらに、ヘッド部３の面３ａの中央には穴部１３が設けられ、この穴部１３の内側に光ケーブル７ａの端部が配置される。このような構造により、光ケーブル７ａの端部から対象物Ｓの計測光が入射される。
【００２１】
第１発光ダイオード素子９ａは、９２０ｎｍ以上９４０ｎｍ以下の波長範囲に発光スペクトルの中心波長を有するＬＥＤ（Light  Emitting  Diode）である。例えば、第１発光ダイオード素子９ａの発光スペクトルの中心波長は９３０ｎｍである。これらの４個の第１発光ダイオード素子９ａにより、脂肪による光の吸収が生じやすい波長帯域内の中心波長の光を照射する第１発光ダイオード部９が構成される。
【００２２】
第２発光ダイオード素子１１ａは、第１発光ダイオード素子９ａの発光スペクトルの中心波長よりも短い発光スペクトルの中心波長を有するＬＥＤである。例えば、第２発光ダイオード素子１１ａの発光スペクトルの中心波長は８７５ｎｍである。これらの２個の第２発光ダイオード素子１１ａにより、脂肪による光の吸収が生じやすい波長帯域より短い中心波長の光を照射する第２発光ダイオード部１１が構成される。
【００２３】
上述したように、第２発光ダイオード部１１を構成する第２発光ダイオード素子１１ａの個数は、第１発光ダイオード部９を構成する第１発光ダイオード素子９ａの個数よりも少ない。また、それぞれの第２発光ダイオード素子１１ａ及びそれぞれの第１発光ダイオード素子９ａの発光強度は同じ強度になるように設定されている。そのため、第２発光ダイオード部１１の全体が生成する光の強度は、第１発光ダイオード部９の全体が生成する光の強度よりも小さくなるように設定される。ここで、第１発光ダイオード素子９ａの個数ｎ（ｎは１以上の整数）及び第２発光ダイオード素子１１ａの個数ｍ（ｍは１以上の整数）は、特定の個数には限定されず、ｎ＞ｍであれば様々な個数に設定されうる。
【００２４】
上記の第１発光ダイオード部９及び第２発光ダイオード部１１を内蔵するヘッド部３は、第１発光ダイオード部９から生じた光と、第２発光ダイオード部１１から生じた光とを合成して対象物Ｓに照射することができる。一般に、脂肪酸は９２７ｎｍ付近の光を吸収する性質を有し、分子構造上におけるＣＨ鎖状部分の幾何学構造の違いなどにより吸収帯が若干変化する特性も有している。このようにしてヘッド部３から照射された照明光は、脂肪による光の吸収が生じやすい９２０〜９４０ｎｍの波長帯域（以下、「脂肪の吸収帯」と呼ぶ。）にピーク波長を有し、そのピーク波長よりも長波長の領域において、ピーク波長よりも短波長の領域よりも急峻に変化する発光スペクトルを有するものとなる。
【００２５】
図３には、ヘッド部３から照射される照明光の発光スペクトルの特性グラフＳＰ１を、一般的なハロゲンランプから照射される光の発光スペクトルの特性グラフＳＰ０と比較して示している。このように、ハロゲンランプから照射される光の発光スペクトルは、脂肪の吸収帯よりも１００ｎｍ以上短い波長にピークを有し、４９０ｎｍ〜１１００ｎｍまでの広い波長範囲に広がったものとなっている。これに対して、ヘッド部３から照射される照明光の発光スペクトルは、脂肪の吸収帯に含まれる９３０ｎｍ近傍にピークを有し、ピーク波長の長波長側は急峻に変化し、ピーク波長の短波長側は長波長側と比較してなだらかに変化するものとなっている。後述するように、脂肪計測装置１による脂肪の数値に関する情報の演算は、照明光の照射に応じて対象物Ｓで生じる計測光のスペクトルデータを微分することによって行われる。上記のような照明光の特性は、微分演算による脂肪の数値の演算結果に影響を与える波長範囲である、脂肪の吸収帯及びその隣接波長帯域を含む約８７０〜約９７０ｎｍの波長領域Ｗ１内に、効率的に発光強度が分布している。それに加えて、波長領域Ｗ１の長波長側の境界においては、照明光の特性は急峻に変化しているので、水による光の吸収が生じる９５６ｎｍ近傍では発光強度が十分小さくされている。
【００２６】
図１に戻って、本体装置５の内部構成について説明する。
【００２７】
本体装置５は、分光器５ａ、光検出器５ｂ、及び制御装置５ｃを内蔵している。分光器５ａは、光ケーブル７ａの端部に光学的に接続されており、対象物Ｓから、ヘッド部３及びケーブル７を経由して入射した計測光を、プリズムあるいは回折格子等によって複数の波長成分に分光する。光検出器５ｂは、分光器５ａの出力と光学的に接続されており、分光器５ａによって分光された計測光の複数の波長成分を、ラインセンサ、フォトダイオードアレイ、イメージセンサ等のセンサを用いて検出することにより、計測光の強度の各波長毎の分布を示すスペクトルデータを生成する。光検出器５ｂは、制御装置５ｃと電気的に接続され、生成したスペクトルデータを制御装置５ｃに出力する。なお、光検出器５ｂとしては、例えば、６００ｎｍ〜１０００ｎｍの波長領域に検出感度を有するものが用いられる。
【００２８】
本体装置５の制御装置５ｃは、機能的な構成要素として、制御部５ｄ及び演算部５ｅを含んで構成されている。制御装置５ｃは、物理的には、ＣＰＵ（Central Processing Unit）、記録媒体であるＲＡＭ（RandomAccess Memory）またはＲＯＭ（Read Only Memory）１０３、及び通信モジュール等を含んでいる。上記の制御装置５ｃの各機能部は、ＣＰＵ、ＲＡＭ等のハードウェア上に予めプログラムを記憶させることにより、ＣＰＵの制御のもとで、通信モジュール等を動作させるとともにＲＡＭにおけるデータの読み出し、書き込み、及びＲＯＭからのデータの読み出しを行うことで実現される。また、制御装置５ｃは、本体部１５ａと、ディスプレイ等の表示部１５ｂと、キーボード及びマウス等の入力部１５ｃとを備える外部のコンピュータ１５とデータ通信可能に接続される。
【００２９】
制御装置５ｃの制御部５ｄは、脂肪計測装置１による計測処理の実行を制御するとともに、ヘッド部３における照明光の照射を制御する。すなわち、外部のコンピュータ１５から指示入力の受信に応じて、計測処理を開始し、ヘッド部３における照明光の照射を開始する。制御装置５ｃは、ヘッド部３の第１発光ダイオード部９及び第２発光ダイオード部１１とケーブルを介して電気的に接続されており、制御部５ｄの制御に応じて第１発光ダイオード部９及び第２発光ダイオード部１１に給電する。このとき、制御装置５ｃは、それぞれの第２発光ダイオード素子１１ａ及びそれぞれの第１発光ダイオード素子９ａの発光強度が同じ強度になるように給電する。
【００３０】
制御装置５ｃの演算部５ｅは、制御部５ｄによる計測処理の実行の制御に応じて、光検出器５ｂから出力されたスペクトルデータを基に、対象物Ｓの脂肪に関する数値の情報を算出する。算出された数値の情報は、外部のコンピュータ１５に送信され、表示部１５ｂに表示（出力）される。
【００３１】
詳細には、演算部５ｅは、スペクトルデータを波長に関して二次微分して二次微分値の波長分布を算出する。図４は、演算部５ｅによって算出された二次微分値の波長分布の一例を示すグラフである。このグラフには、脂肪量が比較的少ない対象物Ｓを対象に算出された二次微分値の波長分布Ｒ１と、脂肪量が比較的多い対象物Ｓを対象に算出された二次微分値の波長分布Ｒ３と、脂肪量が中間値の対象物Ｓを対象に算出された二次微分値の波長分布Ｒ２とが示されている。このように、８３０ｎｍ付近から９５０ｎｍ付近の波長範囲では、二次微分値が脂肪量に応じて比較的大きく変化している。
【００３２】
そして、演算部５ｅは、８５０ｎｍ近辺の波長帯Δλ１の二次微分値の代表値ｘ１と、９２０ｎｍ近辺の波長帯Δλ２の二次微分値の代表値ｘ２と、９５０ｎｍ近辺の波長帯Δλ３の二次微分値の代表値ｘ３を求め、これらの代表値ｘ１，ｘ２，ｘ３を基にして下記式（１）；
ｆ（ｘ）＝ａ・ｘ１＋ｂ・ｘ２＋ｃ・ｘ３＋ｄ  …（１）
を用いることにより、脂肪の数値に関する情報を算出する。ここで、上記式（１）中、ａ，ｂ，ｃ，ｄは、予め回帰演算によって算出されて制御装置５ｃ内に記憶されている演算係数である。このとき、演算部５ｅは、代表値ｘ１，ｘ２，ｘ３として、それぞれの波長帯Δλ１，Δλ２，Δλ３の二次微分値の平均値を求めてもよいし、最大値あるいは最小値を求めてもよいし、それぞれの波長帯の中心波長の値を求めてもよい。演算部５ｅが演算する脂肪の数値に関する情報は、脂肪量の情報であってもよいし、脂肪率の情報であってもよいし、それらの両方であってもよい。式（１）を用いることにより、脂肪量に応じて変化する光学的特性値ｘ１，ｘ２、ｘ３を基に脂肪の数値に関する情報を求めることができる。なお、脂肪量の数値に関する情報の算出に用いる代表値の数は適宜変更されてよいし、波長帯の範囲も適宜変更されてもよい。
【００３３】
ここで、制御装置５ｃ内に記憶される演算係数ａ，ｂ，ｃ，ｄは、次のようにして取得される。まず、予め対象物Ｓの脂肪量をソックスレー法などの化学分析によって取得しておく。次に、対象物Ｓを脂肪計測装置１によって計測することにより、スペクトルデータを基に二次微分値の波長分布を算出する。そして、外部のコンピュータ１５等を用いて、化学分析による脂肪量のデータと二次微分値の波長分布のデータとを回帰分析することによって、演算係数ａ，ｂ，ｃ，ｄを求め制御装置５ｃ内に記憶させる。回帰分析は、重回帰分析、ＰＬＳ分析等によって化学分析による脂肪量のデータと二次微分値の波長分布のデータとの関連付けを行うことによって実行される。
【００３４】
以上のような構成の脂肪計測装置１によれば、ヘッド部３によって、脂肪の吸収帯にピーク波長を有し、そのピーク波長よりも長波長の領域において、ピーク波長よりも短波長の領域よりも急峻に変化する発光スペクトルを有する照射光が、対象物Ｓに向けて照射される。そして、本体装置５内の分光器５ａによって、照射光の照射に応じて対象物Ｓにおいて生じた計測光が分光され、本体装置５内の光検出器５ｂによって、分光された計測光が検出されて計測光に関するスペクトルデータが出力される。さらに、本体装置５内の演算部５ｅによって、そのスペクトルデータを基に脂肪の数値に関する情報が算出される。これにより、脂肪に関する数値変化が大きく反映され、かつ、水による光の吸収の影響の少ないスペクトルデータを用いて、脂肪の数値に関する情報が算出される。その結果、対象物Ｓの脂肪の数値に関する情報を精度よく安定して得ることができる。
【００３５】
すなわち、脂肪の計測にハロゲンランプ、キセノンランプ等の従来の光源を用いた場合は、照射光の発光スペクトルが比較的フラットであるため、脂肪に対する光学的な応答を観測する際に効率的にその応答を観測することが困難となる。つまり、観測されるスペクトルデータにおいて脂肪の吸収応答パターンをダイナミックに反映することができない。特に、この傾向はスペクトルデータを微分演算することによって、安定的に脂肪を計測しようとする場合に顕著である。本実施形態によれば、脂肪の吸収帯及びその隣接波長帯域に発光スペクトルを有する照射光を用いているため、脂肪に対する光学的な応答を効率的に観測することができる。加えて、照射光の発光スペクトルは水による光の吸収が生じる波長近傍では発光強度が十分小さくされている。そのため、スペクトルデータの微分演算結果における水による光の吸収の影響を低減することができ、脂肪の数値に関する情報の演算精度を向上させることができる。
【００３６】
さらに、本実施形態では、光照射部として発光ダイオード素子を用いているため、ハロゲンランプ、キセノンランプ等に比較して小型化及び消費電力の削減が容易とされると共に、上述したような脂肪の計測に適した発光スペクトルが、複数の発光ダイオード素子の組み合わせにより容易に実現できる。
【００３７】
また、本実施形態の演算部５ｅは、スペクトルデータを二次微分して二次微分データを算出し、二次微分データを基に数値に関する情報を算出している。このように、スペクトルデータの二次微分データを用いることで計測する脂肪の数値に関する予測精度を高めることができ、加えて、水による光の吸収の影響による誤差も低減することができる。
【００３８】
次に、本実施形態における脂肪の数値に関する情報の算出結果の例を比較例と比較しつつ示す。
【００３９】
図５は、本実施例における照射光の発光スペクトル及び比較例の照射光の発光スペクトルを示すグラフである。図５において、特性グラフＳＰ０は、ハロゲンランプから照射される光の発光スペクトルを示し、特性グラフＳＰ１は、本実施形態の照射光の発光スペクトルを示し、特性グラフＳＰ２は、比較例の照射光の発光スペクトルを示している。比較例における本実施形態との構成の違いは、ヘッド部３に内蔵された第１発光ダイオード素子９ａの個数が第２発光ダイオード素子１１ａの個数と同数の２個に設定されている点である。このような比較例の照射光の発光スペクトルは、長波長側の発光強度の低下により、実施形態よりもピークが短波長側にずれるとともに、ピーク波長の長波長側と短波長側とで光強度の変化率は同等なものとなっている。
【００４０】
図６及び図７は、本実施形態及び比較例において対象物を計測した結果を示している。図６は、複数の計測によって算出された脂肪量換算値を示しており、計測回数が１回目〜５回目においては脂肪量が比較的少ない対象物を対象にし、計測回数が７回目〜１１回目においては脂肪量が中間値の対象物を対象にし、計測回数が１３回目〜１７回目においては脂肪量が比較的多い対象物を対象にしている。図７は、それぞれの対象物１〜３を対象にして５回計測した場合の脂肪量換算値の標準偏差の値を示し、対象物１は脂肪量が比較的少ないもの、対象物２は脂肪量が中間値のもの、対象物３は脂肪量が比較的多いものを示している。
【００４１】
これらの結果より、比較例における計測結果にはばらつきが見られ安定性に欠けていることがわかる。特に、脂肪量が比較的多い対象物、脂肪量が比較的少ない対象物の計測結果のばらつきが大きくなっている。これに比較して本実施形態では、複数回の計測間で安定した計測結果が得られている。
【００４２】
以上、本発明の種々の実施形態について説明したが、本発明は上記実施形態に限定されるものではなく、各請求項に記載した要旨を変更しない範囲で変形し、又は他のものに適用したものであってもよい。
【００４３】
上記実施形態の脂肪計測装置１においては、演算部５ｅがスペクトルデータを二次微分して二次微分データを算出し、それを基に脂肪の数値に関する情報を算出していたが、スペクトルデータを周波数に関して一次微分して一次微分データを算出し、それを基に脂肪の数値に関する情報を算出してもよい。スペクトルデータの一次微分データを用いることで計測する脂肪の数値に関する予測精度を高めることができ、加えて、水による光の吸収の影響による誤差も低減することができる。
【００４４】
また、上記実施形態の脂肪計測装置１においては、制御部５ｄが、それぞれの第２発光ダイオード素子１１ａ及びそれぞれの第１発光ダイオード素子９ａの発光強度が同じ強度になるように給電していたが、第２発光ダイオード部１１が生成する光の強度が、第１発光ダイオード部９が生成する光の強度よりも小さくなるように給電を制御してもよい。このとき、制御部５ｄは、両者の光の強度を相対的に制御できればよく、第２発光ダイオード部１１の第２発光ダイオード素子１１ａ、及び第１発光ダイオード部９の第１発光ダイオード素子９ａの少なくともいずれか一方の給電を制御すればよい。このような構成により、脂肪の吸収帯にピーク波長を有し、そのピーク波長よりも長波長の領域において、ピーク波長よりも短波長の領域よりも急峻に変化する発光スペクトルを有する照射光が照射可能とされる。この場合には、必ずしも、第１発光ダイオード素子９ａの個数は第２発光ダイオード素子１１ａの個数より多い必要はなく、第１発光ダイオード素子９ａの個数が第２発光ダイオード素子１１ａの個数以下であってもよい。
【００４５】
また、上記実施形態の脂肪計測装置１のヘッド部３は、図８に示すような構成に変更してもよい。すなわち、図８に示すヘッド部３Ａのように、第２発光ダイオード部１１の第２発光ダイオード素子１１ａの前面の面３ａ上に第２発光ダイオード素子１１ａから照射された光を減光するＮＤフィルタ等の減光フィルタ１７が設けられてもよい。このような構成によっても、第２発光ダイオード部１１によって生成される光の強度を第１発光ダイオード部９によって生成される光の強度よりも小さくすることができる。その結果、脂肪の吸収帯にピーク波長を有し、そのピーク波長よりも長波長の領域において、ピーク波長よりも短波長の領域よりも急峻に変化する発光スペクトルを有する照射光が照射可能とされる。この場合には、必ずしも、第１発光ダイオード素子９ａの個数は第２発光ダイオード素子１１ａの個数より多い必要はなく、第１発光ダイオード素子９ａの個数が第２発光ダイオード素子１１ａの個数以下であってもよい。
【００４６】
また、上記実施形態の脂肪計測装置のヘッド部３には、図９に示すような一体型の光源装置が内蔵されてもよい。  図９は、変形例の光源装置１９の構成例を示す斜視図である。この光源装置１９は、基板９０上に３個の発光素子９１１〜９１３がフリップチップ実装された構成を有する。各発光素子９１ｋ（ｋ＝１，２，３）は、互いに異なる波長の照射光を出力することができ、例えば、発光素子９１ｋのうちの２つが第１発光ダイオード素子９ａと同一の中心波長の光を出力し、発光素子９１ｋのうちの１つが第２発光ダイオード素子１１ａと同一の中心波長の光を出力する。各発光素子９１ｋは、例えばＬＥＤ（発光ダイオード）である。各発光素子９１ｋの一方の電極端子は基板９０上の配線Ｗｋ１に電気的に接続されている。各発光素子９１ｋの他方の電極端子は基板９０上の配線Ｗｋ２に電気的に接続されている。基板９０上において、３個の発光素子９１１〜９１３の相互間の距離は短いのが好ましく、例えば、その距離は１ｍｍ以下にすることができる。
【００４７】
また、この光源装置１９には図示しない光源駆動回路が備えられている。光源駆動回路は、本体装置５の制御部５ｄの制御により、各発光素子９１ｋの発光を制御することができる。制御部５ｄにより制御された光源駆動回路は、配線組Ｗ１１，Ｗ１２、配線組Ｗ２１，Ｗ２２、および、配線組Ｗ３１，Ｗ３２の配線組を対象にして、それらの配線Ｗｋ１，Ｗｋ２間に同時に駆動電流を流すことで、その配線Ｗｋ１，Ｗｋ２に接続されている発光素子９１ｋから同時に照射光を出力させることができる。
【００４８】
光源装置１９の光出力側に発光素子９１１〜９１３を覆うようにレンズを設けて、このレンズにより照射光の発散を抑制するのが好ましい。このレンズは、例えば樹脂により成形されたものであり、基板９０および発光素子９１１〜９１３と一体であってもよいし、これらとは別体であってもよい。
【００４９】
上記実施形態では、ヘッド部３に分光器５ａ及び光検出器５ｂを内蔵し、ヘッド部３と本体装置５との間はケーブルで電気的に接続されているのみであってもよい。逆に、本体装置５に光源装置を内蔵し、光源装置から照射された照射光をケーブル７内の光ケーブルを経由してヘッド部３に導光するようにしてもよい。
【００５０】
上記実施形態では、本体装置５の一部の機能がスマートフォン、タブレット端末等のスマートデバイスで実現されていてもよい。
【符号の説明】
【００５１】
Ｓ…対象物、１…脂肪計測装置、３，３Ａ…ヘッド部（光照射部）、５…本体装置、５ａ…分光器、５ｂ…光検出器、５ｃ…制御装置、５ｄ…制御部、５ｅ…演算部、７…ケーブル、９…第１発光ダイオード部、９ａ…第１発光ダイオード素子、１１…第２発光ダイオード部、１１ａ…第２発光ダイオード素子、１７…減光フィルタ、１９…光源装置、９１１，９１２，９１３…発光素子。
【図１】
2019070550.tif 000003
【図２】
2019070550.tif 000004
【図３】
2019070550.tif 000005
【図４】
2019070550.tif 000006
【図５】
2019070550.tif 000007
【図６】
2019070550.tif 000008
【図７】
2019070550.tif 000009
【図８】
2019070550.tif 000010
【図９】
2019070550.tif 000011